(57)【特許請求の範囲】
【請求項１】
障害者自立支援給付支払等システムに用いられる交換情報の出力方法であって、
前記交換情報のデータレコードのうち、前記障害者自立支援給付支払等システムのサービスの受給者に関する情報である基本情報と、前記受給者が受けるサービスの内容に関する情報である支給決定情報とを示した編集結果情報を作成し、出力装置へ出力する出力制御装置が、
入出力部経由で、前記交換情報を読み込み、
前記読み込んだ交換情報のデータレコードに、前記基本情報および前記支給決定情報に用いられる項目名を割り当てた編集結果情報を作成し、記憶部に格納し、
前記読み込んだ交換情報のデータレコードのうち、
前記基本情報と同じ受給者証識別情報および異動年月日を持つ前記支給決定情報を、当該基本情報と対応付けて表示するよう編集して、前記記憶部に格納された編集結果情報に追加し、
前記基本情報と、前記受給者証識別情報および異動年月日の少なくとも一方が異なる前記支給決定情報を、当該基本情報とは対応付けないで表示するよう編集して、前記記憶部に格納された編集結果情報に追加し、
前記編集後の基本情報および支給決定情報を含む前記編集結果情報を前記出力装置へ出力することを特徴とする交換情報の出力方法。
【請求項２】
前記出力制御装置は、
前記基本情報と同じ受給者証識別情報および異動年月日を持つ前記支給決定情報を、テーブル形式の前記編集結果情報において、当該基本情報と同じ行または列に表示するよう編集し、
前記基本情報と、前記受給者証識別情報および異動年月日の少なくとも一方が異なる前記支給決定情報を、当該基本情報と異なる行または列に表示するよう編集することを特徴とする請求項１に記載の交換情報の出力方法。
【請求項３】
前記交換情報は、ＣＳＶ（Comma Separated Values）形式のファイルであることを特徴とする請求項１または請求項２に記載の交換情報の出力方法。
【請求項４】
障害者自立支援給付支払等システムに用いられる交換情報のデータレコードのうち、前記障害者自立支援給付支払等システムのサービスの受給者に関する情報である基本情報と、前記受給者が受けるサービスの内容に関する情報である支給決定情報とを示した編集結果情報を作成し、出力装置へ出力する出力制御装置であって、
データ入力を司る入力部と、
前記入力部経由で、前記交換情報を読み込むファイル読み込み部と、
前記読み込んだ交換情報のデータレコードに、前記基本情報および前記支給決定情報に用いられる項目名を割り当てた編集結果情報を作成し、前記読み込んだ交換情報のデータレコードのうち、前記基本情報と同じ受給者証識別情報および異動年月日を持つ前記支給決定情報を、当該基本情報と対応付けて表示するよう編集し、前記記憶部に格納された編集結果情報に追加し、前記基本情報と、前記受給者証識別情報および異動年月日の少なくとも一方が異なる前記支給決定情報を、当該基本情報とは対応付けないで表示するよう編集し、前記記憶部に格納された編集結果情報に追加する編集部と、
前記編集結果情報を記憶する記憶部と、
前記編集後の基本情報および支給決定情報を含む前記編集結果情報を、前記出力装置へ出力する出力部を備えることを特徴とする出力制御装置。
【発明の詳細な説明】
【技術分野】
【０００１】
本発明は、障害福祉サービス事務において各市町村が国保連合会と送受信するＣＳＶ（Comma Separated Values）形式の交換情報の表示技術に関する。
【背景技術】
【０００２】
従来、障害福祉サービスにおいて、各市町村（各自治体）は障害者に対してサービスを提供した事業所から、サービス提供分の費用請求を受けると、この請求内容を点検して、その事業所へのサービス提供の費用を支払っていた。その確認方法は自治体ごとに異なり、請求情報が紙で送付された場合は、その紙ごとに請求内容の点検を行うこととなる。しかし、２００７年１０月からは、自治体ごとに行っていた障害者自立支援法に基づく事業所への支払業務を、国保連合会（国民健康保険団体連合会）に事務委託することになり、全国共通のインタフェース（データ送受信の規格）で情報連携を行うこととなる。
【０００３】
この支払業務の事務委託において、自治体と国保連合会との間で「障害者自立支援給付支払等システムに係るインタフェース仕様書（以下、インタフェース仕様書と略す）」を元に共通化された情報での連携が開始される。これにより、従来、自治体ごとに行っていた請求内容の点検が、国保連合会で行われることになり、各自治体においては、インタフェース仕様書に基づいたＣＳＶ形式の交換情報を確認することでサービス提供事業所への支払業務が行われる。この交換情報の確認（目視確認）は、１ヶ月分の交換情報を約３日で確認する必要があり、自治体において迅速な処理が要求される。
【０００４】
しかし、ＣＳＶ形式の交換情報をそのまま出力装置（例えば、液晶モニタ等）に出力したのでは、内容が分かりにくく、自治体の担当者がその内容を確認するときに時間を要する。また、このように内容の分かりにくい出力方法では、内容に誤認が生じるおそれもある。なお、以下の特許文献１には、出力装置に文字列を表示するとき、誤認を生じるおそれのある文字を含む文字列については、誤認を防ぐための表記を併記する技術が開示されている。
【特許文献１】特開２００３−１５８００号公報
【発明の開示】
【発明が解決しようとする課題】
【０００５】
しかし、前記した技術は、障害者自立支援給付支払等システムに係るインタフェース仕様書に基づいた交換情報を目視確認しやすくするものではない。そこで、本発明は、前記した課題を解決し、自治体の担当者等、交換情報の確認者が前記インタフェース仕様書に基づいた交換情報を目視確認しやすくする手段を提供することを目的とする。
【課題を解決するための手段】
【０００６】
前記した課題を解決するため本発明の出力制御装置は、外部から読み込んだ前記インタフェース仕様書に基づいた交換情報のデータレコードに、インタフェース仕様書に基づく項目名を割り当てて表示する。これにより、例えば、自治体担当者は、ＣＳＶ形式の交換情報をそのまま出力したものより、はるかに効率的に交換情報を目視確認することができる。また、データレコードのうち、基本情報と同じ受給者証識別情報および異動年月日（情報の変更年月日）を持つ支給決定情報について、当該基本情報と同じ行に編集する等して、交換情報の確認者に両者が関連した情報であることが分かるようにする。一方、受給者証識別情報および異動年月日の少なくとも一方が異なる支給決定情報については、当該基本情報とは異なる行に編集する等して、両者が関連しない情報であることが分かるようにする。このようにすることで、データレコードの変更のうち、基本情報および支給決定情報の変更について、これらが関連するものか否かが分かりやすくなる。従って、例えば、交換情報の確認者等は、関連する基本情報および支給決定情報をまとめて目視確認することができる。また、基本情報のみの変更、または、支給決定情報のみの変更についても分かりやすくなるので、交換情報の確認者は効率よく交換情報を確認することができる。
【発明の効果】
【０００７】
本発明によれば、交換情報の確認者が、障害者自立支援給付支払等システムの交換情報を目視確認しやすくする。
【発明を実施するための最良の形態】
【０００８】
以下、本発明を実施するための最良の形態（以下、実施の形態という）を、図面を参照しながら説明する。図１は、本実施の形態の出力制御装置を含むシステムの構成図である。このシステムは、交換情報を蓄積する業務システム２０と、この業務システム２０から交換情報を読み出し、出力装置１５へ出力する出力制御装置１０と、この交換情報の送信先である障害者自立支援給付等支払システム５０と、この交換情報を出力する出力装置１５と、を含んで構成される。この業務システム２０と、出力制御装置１０と、出力装置１５とは、自治体に設置され、障害者自立支援給付等支払システム５０は、国保連合会に設置される。自治体における交換情報の確認者は、出力制御装置１０から出力された交換情報を出力装置１５により確認する。そして、確認後の交換情報を業務システム２０等により、ネットワーク４０経由で、国保連合会の障害者自立支援給付等支払システム５０へ送信する。なお、ネットワーク４０は、例えば、インターネットや専用線等である。また、ここでの交換情報は、ＣＳＶ形式のファイルである場合を例に説明する。さらに、本実施の形態における編集処理とは、出力制御装置１０において、交換情報の各データを表（テーブル）形式に加工したり、各データに含まれるコード情報を変換したりすることである。
【０００９】
業務システム２０は、障害者自立支援の受給者台帳（業務情報テーブル２３１）を作成する障害者自立支援システム２１と、この業務テーブル２３１への情報の書き込みや読み出しを制御する制御部２２と、業務情報テーブル２３１を記憶する記憶部２３とを含んで構成される。この業務情報テーブル２３１は、前記した交換情報が記録されたものである。この障害者自立支援システム２１は、受給の申請情報を受け付ける申請部２１１と、その申請情報の認定を行う認定部２１２と、その受給者に対する支給内容の決定を行う支給決定部２１３とを備える。ここで認定され、決定された申請内容や支給内容は、制御部２２が、業務情報テーブル２３１に書き込む。この業務システム２０および国保連合会の障害者自立支援給付等支払システム５０は公知のシステムであるため詳細は省略する。
【００１０】
出力制御装置１０は、この出力制御装置１０全体の制御を司る制御部１１と、データ入力を司る入力部１２と、編集途中の交換情報や編集結果である交換情報（編集結果情報）等を格納する記憶部１３と、制御部１１により編集された交換情報（編集結果情報）を出力装置１５へ出力する出力部１４とを含んで構成される。この出力制御装置１０は、コンピュータにより実現され、入力部１２および出力部１４は、入出力インタフェースにより実現され、制御部１１はＣＰＵ（Central Processing Unit）によるプログラム実行処理により実現される。また、記憶部１３は、ＲＡＭ（Random Access Memory）、ＨＤＤ（Hard Disk Drive）等の記憶媒体により実現される。
【００１１】
この制御部１１は、ファイル読み込み部（読み込み部）１１１と、編集部１１２と、データ格納部１１３と、画面表示部１１４とを含んで構成される。
【００１２】
ファイル読み込み部１１１は、図示しない入力装置から入力された指示入力に基づき、業務システム２０から交換情報を読み込む。読み込んだ交換情報は、データ格納部１１３により記憶部１３に格納される。
【００１３】
編集部１１２は読み込んだ交換情報のデータレコードを編集する。この編集の詳細はフローチャートを用いて後記する。
【００１４】
データ格納部１１３は、各種データを記憶部１３へ格納する。
【００１５】
画面表示部１１４は、出力装置１５に交換情報の読み出し指示を受け付ける画面を表示したり、編集部１１２で編集された交換情報の一覧である編集結果情報を表示したりする。この画面表示部１１４は、画面表示をするためのブラウザや、編集結果情報を表（テーブル）形式で表示するためのプログラム等を備え、このブラウザやプログラムにより前記した各画面等を出力装置１５に表示する。
【００１６】
この記憶部１３は、編集部１１２による編集途中の交換情報であるＣＳＶファイル編集情報を格納するＣＳＶファイル編集情報記憶部１３１と、交換情報の編集結果である編集結果情報を記憶する編集結果情報記憶部１３２とを含んで構成される。なお、このＣＳＶファイル編集情報は、基本情報を一時的に格納する基本情報退避エリアと、支給決定情報を一時的に格納する支給決定情報退避エリアと、異動年月日を一時的に格納する異動年月日退避エリアと、受給者証番号を一時的に格納する受給者証番号退避エリアと、交換情報識別番号を一時的に格納する交換情報識別番号退避エリアとを含む。また、この記憶部１３は、項目情報１３３とコード情報１３４とを格納する。この項目情報１３３は、ＣＳＶ形式の交換情報のカンマで区切られた何番目のデータが、障害者自立支援給付支払等システムにおけるどの項目を示すものかを示した情報である。この項目情報１３３は、交換情報を構成する各レコード、つまり、コントロールレコード、データレコード（基本情報および支給決定情報）およびエンドレコードそれぞれの項目について用意される。また、コード情報１３４は、交換情報に用いられるコード（数字や文字の組み合わせ）が、それぞれどのような内容を示すものかを示した情報である。このコード情報１３４は、例えば、交換情報の種類を示すコードや、その交換情報が異動連絡票であればその異動事由のコード、受給者の受けるサービスのサービスコード等を示したものである。編集部１１２は、このような項目情報１３３およびコード情報１３４を参照することで、編集結果情報に、各項目の項目内容とコードが示す内容とを示すことができる。これにより、自治体の担当者は交換情報を確認しやすくなる。
【００１７】
この項目情報１３３を、図２に例示する。ここでは、データレコードの支給決定情報（詳細は後記）の項目情報を例に説明する。図２に示すように、項目情報は、項番ごとに、項目名、その属性、バイト数等が示される。例えば、項番「４」の「異動事由」の属性は「数字」であり、バイト数は「２」であることを示す。つまり、ＣＳＶ形式の交換情報のデータ本体の１４バイト（４＋８＋１＋１）目から１５バイト目までには、異動事由が数字で記述されていることを示す。そして、編集部１１２は、この異動事由の欄に記述されたコードについて前記したコード情報１３４を参照して、そのコードが示す内容に変換する。このコード情報１３４を、図３に例示する。コード情報１３４は、図３に示すように、項番ごと、交換情報に用いられるコード名称ごとに、そのコードの属性、バイト数、そのコードが示す内容を示したものである。例えば、受給者異動事由の属性は「数字」であり、バイト数は「２」であり、「０３」というコードは「政令市における受給者の区間異動」であることを示す。
【００１８】
なお、図示を省略しているが、この出力制御装置１０の記憶部１３には、前記した各情報の他、制御部１１の機能を実現するプログラムが記憶される。
【００１９】
出力装置１５は、編集部１１２で編集された交換情報の一覧である編集結果情報を表示したり、交換情報の読み出し指示を受け付ける画面を表示したりする。この出力装置１５は、例えば、液晶モニタ等により実現される。
【００２０】
なお、このシステムは出力装置１５の他に、プリンタをさらに備え、出力制御装置１０は、この編集結果情報を印刷するようにしてもよい。
【００２１】
次に、本実施の形態の交換情報の概要を、図４を用いて説明する。図４は、本実施の形態の交換情報の概要を説明するために引用した図である。交換情報には、受給者異動連絡票情報ファイルと、受給者訂正連絡票情報ファイル（図示省略）とがあるが、ここでは、受給者異動連絡票情報ファイルを例に説明する。なお、受給者異動連絡票情報とは、受給者の住所の変更や、受給者の受けるサービス内容や支給量の変更があったとき、その変更日や変更内容を示したものである。受給者異動連絡票情報は、大きく基本情報および支給決定情報を含んで構成される。このうち基本情報は、受給者の受給者証番号（受給者識別情報）や、障害区分、氏名、生年月日、障害程度区分、所得区分等、自治体で保有している、障害福祉サービスを受給者が受給する前提となる個人情報である。また、支給決定情報は、サービスの支給量、支給期間等、受給者に決定されたサービス内容を示した情報である。
【００２２】
図４に示すように、受給者異動連絡票情報ファイルは、１以上の受給者情報から構成される。１件分の受給者情報としてまとめられるレコード群は以下の３つのパターンがある。なお、ここで１件にまとめられるレコードは、同じ受給者証番号および同じ異動年月日を持つレコードである。パターン（１）：受給者異動連絡票情報（基本情報）レコード（以下、基本情報と略す）と、このレコードにひもづく１以上の受給者異動連絡票情報（支給決定情報）レコード（以下、支給決定情報と略す）とを含むパターン。これは支給決定情報の変更に関連して、基本情報も変更した場合のパターンである。パターン（２）：基本情報のみのパターン。これは、基本情報のみ変更した場合のパターンである。パターン（３）：１以上の支給決定情報のみで、基本情報を含まないパターン。これは、支給決定情報のみを変更した場合のパターンである。本実施の形態の出力制御装置１０は、この交換情報の受給者証番号および異動年月日を参照して、１件分の受給者情報のレコードをまとめて表示するよう編集して出力装置１５へ出力する。
【００２３】
次に、交換情報のフォーマットを、図５を用いて説明する。図５は、本実施の形態のＣＳＶ形式の交換情報のファイルフォーマットを例示した図である。図５に示すようにファイルの先頭（第１レコード）は、コントロールレコード３０１であり、この交換情報のヘッダ情報に相当する内容が記述される。また、ファイルの第２レコード以降は、データレコードであり交換情報の中身（例えば、基本情報３０２,３０４、支給決定情報３０３等）が記述される。そして、ファイルの最後のレコードは、このファイルの終端を示すエンドレコード３０５となる。ここで、コントロールレコード３０１は左から、このレコードのレコード種別、レコード番号（連番）およびボリューム通番、このファイルのレコード件数、データ種別、市町村番号、事業所番号、都道府県番号、媒体区分、処理対象年月等の情報を示す。また、基本情報３０２,３０４は、左から、レコードのレコード種別、レコード番号（連番）と、データ種別（交換情報識別番号）、異動年月日、異動区分コード、異動事由等、基本情報に含まれる４５項目の情報を示す。さらに、支給決定情報３０３は、左から、レコードのレコード種別、レコード番号（連番）と、データ種別（交換情報識別番号）、異動年月日、異動区分コード、異動事由等、証記載市町村番号、政令市市町村番号、受給者証番号、決定サービスコード等、支給決定情報に含まれる１５項目の情報を示す。また、エンドレコード３０５は、左から、レコード種別、レコード番号（連番）を示す。
【００２４】
次に、図６〜図１１を用いて、出力制御装置１０の処理フローを説明する。図６は、図１の出力制御装置の処理フローの概要を示したフローチャートである。図７は、図１の画面表示部が表示する参照ファイルの選択画面を例示した図である。
【００２５】
まず、図１の出力制御装置１０の制御部１１は、ＣＳＶファイル（交換情報）の読み込み処理を起動し、画面表示部１１４は、読み込みファイルの選択画面を出力装置１５へ表示する（Ｓ１３）。そして、制御部１１は、選択画面から、参照する（読み込む）ＣＳＶファイル名の選択入力を受け付ける（Ｓ１４）。例えば、画面表示部１１４は、図７に例示するように、受給者異動連絡票情報と、受給者訂正連絡票情報というファイル名を表示し、これらのファイルの選択入力を受け付ける。そして、ファイル読み込み部１１１は、この画面上から選択されたＣＳＶファイルを、業務システム２０の業務情報テーブル２３１から読み込む（図６のＳ１５）。読み込んだＣＳＶファイルは、データ格納部１１３が記憶部１３に格納する。次に、編集部１１２は、読み込んだＣＳＶファイルのデータ種別（レコード種別）の欄の値をもとにＣＳＶファイルのデータ種別（コントロールレコードか、データレコードか、エンドレコードか）を判定する（Ｓ１６）。そして、編集部１１２は、このデータ種別に合せて、プログラムを呼び出し、ＣＳＶファイルの編集処理を行う（Ｓ１７）。
【００２６】
次に、図８を用いて、図６のＳ１６、Ｓ１７の処理を説明する。図８は、図６のＳ１６、Ｓ１７の処理を示したフローチャートである。
【００２７】
まず、編集部１１２は、前記した図６のＳ１５で読み込んだＣＳＶファイルの中から１件レコードを読み込む(Ｓ２０１)。ここでは、ＣＳＶファイルの最初のレコードを読み込むので、コントロールデータを読み込むことになる。そして、データ格納部１１３は、このレコードをＣＳＶファイル編集情報記憶部１３１に格納する。そして、このＣＳＶファイルのレコードがなくなるまでＳ２０３〜Ｓ２０７の処理を行う。
【００２８】
まず、編集部１１２は、レコードのレコード種別を判断する（Ｓ２０３）。ここで、レコード種別が「１」のとき（Ｓ２０３の“１”）、つまり、レコードがコントロールレコードのとき、編集部１１２は、コントロールレコード処理を行う（Ｓ２０４）。具体的には、編集部１１２は、コントロールレコードの各項目を、項目情報１３３から読み出す。そして、編集部１１２は、このコントロールレコードにコード情報が含まれていれば、コード情報１３４を参照してコードを変換した編集結果情報を作成し、編集結果情報記憶部１３２に格納する。ここで作成する編集結果情報を画面表示すると、後記する図９のコントロールレコードの表示領域９１０に示すような画面となる。
【００２９】
また、ここで、レコード種別が「２」のとき（Ｓ２０３の“２”）、つまり、レコードがデータレコードのとき、編集部１１２は、データレコード処理を行う（Ｓ２０５）。このとき、編集部１１２は、データレコード（基本情報および支給決定情報）の各項目名を、項目情報１３３から読み出し、編集結果情報記憶部１３２の編集結果情報に格納する。ここで作成する編集結果情報を画面表示すると、後記する図９のデータレコードの表示領域９２０に示すような画面となる。このデータレコード処理については、フローチャートを用いて後記する。
【００３０】
一方、レコード種別が「３」のとき（Ｓ２０３の“３”）、つまり、レコードがエンドレコードのとき、編集部１１２は、エンドレコード処理を行う（Ｓ２０６）。具体的には、編集部１１２は、エンドレコードの各項目を、項目情報１３３から読み出し、編集結果情報を作成し、編集結果情報記憶部１３２に格納する。ここで作成する編集結果情報を画面表示すると、後記する図９のエンドレコードの表示領域９３０に示すような画面となる。
【００３１】
そして、編集部１１２は、Ｓ２０４、Ｓ２０５、Ｓ２０６の処理の後、レコードがまだ残っていれば、次のレコードを１件読み込み、このレコードのレコード種別を判断する（Ｓ２０３）。そして、ループを終了すると、画面表示部１１４は、編集結果情報記憶部１３２に格納された編集結果情報を、出力装置１５へ画面表示し（Ｓ２０８）、処理を終了する。ここでの表示画面例については、図９を用いて説明する。図９は、図１の画面表示部が表示する表示画面を例示した図である。図９に示すように、編集結果情報の表示画面はコントロールレコードの表示領域９１０、データレコードの表示領域９２０、エンドレコードの表示領域９３０を備える。そして、それぞれの表示領域には、各データレコードの項目内容と、レコードの内容が表示される。なお、コード（数字等）で示された情報については、コード変換された情報が表示される。そして、データレコードの表示領域９２０は、基本情報データレコード（基本情報）の表示領域９２１と、支給決定情報データレコード（支給決定情報）の表示領域９２２とを備える。
【００３２】
このように出力制御装置１０は、交換情報をコントロールレコード、データレコードおよびエンドレコードに分け、表示画面上においてそれぞれのレコードの項目も表示するので、自治体の担当者は交換情報の目視確認を効率的に行うことができる。なお、ここでは説明を省略しているが、表示領域９２１には、レコード種別、レコード番号の他に、前記した基本情報の４５項目の情報が表示される。また、表示領域９２２には、レコード種別、レコード番号の他に、支給決定情報の１５項目の情報が表示される。
【００３３】
次に、図８のＳ２０５のデータレコード処理を詳細に説明する。図１０は、図８のデータレコード処理を示したフローチャートである。
【００３４】
図１の編集部１１２は、処理対象のデータレコードの受給者証番号および異動年月日が、ＣＳＶファイル編集情報記憶部１３１の受給者証番号および異動年月日の退避エリアに格納された受給者証番号および異動年月日と同じと判断したとき（Ｓ２０９のＹｅｓ→Ｓ２１０のＹｅｓ）、つまり、ＣＳＶファイル編集情報記憶部１３１に格納された前回の処理対象のデータレコード（基本情報または支給決定情報）の受給者証番号および異動年月日が、処理対象のデータレコードの受給者証番号および異動年月日と同じと判断したとき、Ｓ２１１へ進み、支給決定情報の編集処理を行う（Ｓ２１１）。
【００３５】
なお、本実施の形態において、交換情報のＣＳＶファイルに、同じ受給者証番号および異動年月日を持つ基本情報が複数含まれることはない。従って、編集部１１２はＣＳＶファイル編集情報記憶部１３１に格納された前回の処理対象のデータレコードの受給者証番号と異動年月日とが、処理対象のデータレコードの受給者証番号と異動年月日と同じであれば、そのデータレコードは基本情報ではなく、支給決定情報と判断する。
【００３６】
図１０のＳ２１１の支給決定情報の編集処理において、編集部１１２は、支給決定情報を編集してＣＳＶファイル編集情報記憶部１３１のＣＳＶファイル編集情報に格納する。そして、編集部１１２は、ＣＳＶファイル編集情報に格納された支給決定情報を編集結果情報記憶部１３２の編集結果情報へ書き出す。また、ＣＳＶファイル編集情報に基本情報が格納されていればその基本情報も編集結果情報へ書き出す（Ｓ２１２：ＷＲＩＴＥ）。そして、編集部１１２は、ＣＳＶファイル編集情報の支給決定情報退避エリアを初期化する（Ｓ２１３）。このようにして、編集部１１２は、ＣＳＶファイル編集情報に記録された基本情報または支給決定情報の受給者証番号および異動年月日と同じ受給者証番号および異動年月日を持つ支給決定情報を発見すると、これらの情報（支給決定情報および基本情報）を編集結果情報へ書き込む。
【００３７】
次に、編集部１１２は、現在処理対象としている支給決定情報の受給者証番号および異動年月日の退避を行う（Ｓ２１４）。つまり、編集部１１２は、支給決定情報の受給者証番号および異動年月日をそれぞれ、ＣＳＶファイル編集情報の受給者証番号退避エリアおよび異動年月日退避エリアに格納する。また、編集部１１２は、現在処理対象としている支給決定情報の交換情報識別番号の退避を行う（Ｓ２１５）。つまり、編集部１１２は、支給決定情報の交換情報識別番号を、ＣＳＶファイル編集情報の交換情報識別番号退避エリアに格納する。
【００３８】
なお、Ｓ２０９において、処理対象のデータレコードの受給者証番号がＣＳＶファイル編集情報記憶部１３１に記憶されたデータレコードの受給者証番号と異なるとき（Ｓ２０９のＮｏ）、またはＳ２１０において、処理対象のデータレコードの異動年月日がＣＳＶファイル編集情報記憶部１３１に記憶されたデータレコードの異動年月日と異なるとき（Ｓ２１０のＮｏ）、編集部１１２は、基本情報判定処理を行う（Ｓ２１６）。そして、データレコード処理を終了する。なお、この基本情報判定処理については、図１１を用いて後記する。
【００３９】
以上のような処理を行うことで、例えば、ＣＳＶファイル編集情報記憶部１３１のＣＳＶファイル編集情報に受給者証番号「０００００００００１」、異動年月日「２００７０９０１」を持つ基本情報が格納され、処理対象の支給決定情報も受給者証番号が「０００００００００１」、異動年月日が「２００７０９０１」であるとき、編集部１１２は、編集結果情報において、この支給決定情報を当該基本情報と対応付けて表示するよう編集する。例えば、編集部１１２は、表示画面上において図９の符号９２３に示す情報および符号９２６に示す情報のように表（テーブル）形式の表示画面上において、それぞれの情報が同じ行に表示されるよう編集する。このようにすることで、自治体の担当者が交換情報を目視確認するとき、両者が関連した情報であることが分りやすくなる。
【００４０】
なお、図９の符号９２６に示す支給決定情報を処理した後のレコードが、このレコードと同じ受給者証番号および異動年月日を持つ支給決定情報（符号９２７参照）であるとき、基本情報退避エリアに格納された基本情報をそのままコピーして、編集結果情報の基本情報の領域に書き出し（符号９２４参照）、この基本情報と同じ受給者証番号および異動年月日を持つ支給決定情報を編集結果情報の支給決定情報の領域に書き出す（符号９２７参照）。このようにすることで、符号９２６,９２７に示す支給決定情報が、符号９２３（符号９２４）に示す基本情報に関連する情報であることが分かりやすくなる。
【００４１】
次に、図１１を用いて、図１０のＳ２１６の基本情報判定処理を説明する。図１１は、図１０の基本情報判定処理を示したフローチャートである。
【００４２】
編集部１１２は、まず、処理対象のデータレコードの交換情報識別番号が「Ｅ１１１（基本情報を示す識別番号）」か否かを判断する（Ｓ２１７）。ここで、処理対象のデータレコードの交換情報識別番号が「Ｅ１１１（基本情報を示す識別番号）」であるとき（Ｓ２１７のＹｅｓ）、編集部１１２はＣＳＶファイル編集情報の交換情報識別番号退避エリアの交換情報識別番号が「Ｅ１１１（基本情報を示す識別番号）」か否かを判断する（Ｓ２２０）。つまり、編集部１１２は、処理対象のデータレコードが基本情報であり、かつ、ＣＳＶファイル編集情報に格納されたデータレコードも基本情報であるか否かを判断する。
【００４３】
ここで、編集部１１２は、処理対象のデータレコードが基本情報であり、かつ、ＣＳＶファイル編集情報に格納されたデータレコードも基本情報であれば（Ｓ２２０のＹｅｓ）、処理対象のデータレコード（基本情報）と、ＣＳＶファイル編集情報に格納されたデータレコードとを、編集結果情報記憶部１３２の編集結果情報へ書き出す（Ｓ２２１：ＷＲＩＴＥ）。そして、Ｓ２２２へ進む。
【００４４】
編集部１１２は、このようにして編集結果情報のＷＲＩＴＥ処理を行うので、表示画面上において、図９の符号９２５に示すように、基本情報と同じ受給者証番号および異動年月日を持つ支給決定情報がないとき、同じ行の支給決定情報の欄は空欄になる。従って、自治体の担当者は、当該受給証番号の受給者の当該異動年月日の情報について、基本情報を確認すればよく、支給決定情報については確認の必要がないことが分かりやすくなる。
【００４５】
一方、ＣＳＶファイル編集情報に格納されたデータレコードが基本情報でなければ（Ｓ２２０のＮｏ）、つまり、前回の処理対象レコードが支給決定情報であれば、Ｓ２２１の処理は行わずにＳ２２２へ進む。次に、編集部１１２は、ＣＳＶファイル編集情報の基本情報退避エリアを初期化する（Ｓ２２２）。そして、編集部１１２は、処理対象の基本情報の退避処理を行う（Ｓ２２３）。つまり、編集部１１２は、前回と今回続けて基本情報が来たときに、基本情報を編集結果情報へ書き出すが、前回が支給決定情報であり、今回が基本情報であるときは、この基本情報をＣＳＶファイル編集情報に保持したままで、次に基本情報が来るのを待つ。
【００４６】
次に、編集部１１２は、処理対象のデータレコード（基本情報）の受給者証番号、異動年月日をそれぞれＣＳＶファイル編集情報の受給者証番号退避エリア、異動年月日退避エリアへ退避する（Ｓ２２４）。また、編集部１１２は、処理対象の基本情報の交換情報識別番号（「Ｅ１１１」）もＣＳＶファイル編集情報の基本情報退避エリアへ退避する（Ｓ２２５）。
【００４７】
一方、処理対象のデータレコードの交換情報識別番号が「Ｅ１１１（基本情報を示す識別番号）」ではないとき（Ｓ２１７のＮｏ）、つまり、処理対象のデータレコードが支給決定情報のとき、編集部１１２は、ＣＳＶファイル編集情報の基本情報退避エリアを初期化する（Ｓ２３０）。そして、Ｓ２３１〜Ｓ２３５に示す処理を行う。この処理は、図１０のＳ２１１〜Ｓ２１５に示す処理と同様であるので、説明を省略する。このように、編集部１１２は、ＣＳＶファイル編集情報の基本情報退避エリアを初期化して（空欄にして）、支給決定情報を編集し、編集結果情報のＷＲＩＴＥ処理を行うので、表示画面上において、支給決定情報と同じ受給者証番号および異動年月日を持つ基本情報がないとき、図９の符号９２８,９２９に示すように、同じ行の基本情報は空欄になる。従って、自治体の担当者等、交換情報の確認者は、当該受給証番号の受給者の当該異動年月日の情報について、支給決定情報を確認すればよく、基本情報については確認の必要がないことが分かりやすくなる。
【００４８】
このように、出力制御装置１０は、交換情報のうち、同じ受給者証識別情報および異動年月日を持つ基本情報と支給決定情報とを表示画面上で同じ行に表示するよう編集する。また、出力制御装置１０は、受給者証識別情報および異動年月日の少なくとも一方が異なる支給決定情報については、表示画面上で当該基本情報と異なる行に表示するよう編集する。なお、出力制御装置１０は、交換情報のうち、同じ受給者証識別情報および異動年月日を持つ基本情報と支給決定情報とが関連付けられていることが分かるように表示すれば前記した形態に限定されない。例えば、出力制御装置１０は、交換情報をテーブル形式に編集する場合、同じ受給者証識別情報および異動年月日を持つ支給決定情報と基本情報とを同じ列に表示するよう編集してもよい。
【００４９】
本実施の形態に係る出力制御装置１０は、前記したような処理を実行させるプログラムによって実現することができ、そのプログラムをコンピュータによる読み取り可能な記憶媒体（ＣＤ−ＲＯＭ等）に記憶して提供することが可能である。また、そのプログラムを、ネットワークを通して提供することも可能である。
【図面の簡単な説明】
【００５０】
【図１】本実施の形態の出力制御装置を含むシステムの構成図である。
【図２】図１の項目情報を例示した図である。
【図３】図１のコード情報を例示した図である。
【図４】本実施の形態の交換情報の概要を説明するために引用した図である。
【図５】本実施の形態のＣＳＶ形式の交換情報のファイルフォーマットを例示した図である。
【図６】図１の出力制御装置の処理フローの概要を示したフローチャートである。
【図７】図１の画面表示部が表示する参照ファイルの選択画面を例示した図である。
【図８】図６のＳ１６、Ｓ１７の処理を示したフローチャートである。
【図９】図１の画面表示部が表示する表示画面を例示した図である。
【図１０】図８のデータレコード処理を示したフローチャートである。
【図１１】図１０の基本情報判定処理を示したフローチャートである。
【符号の説明】
【００５１】
１０    出力制御装置
１１,２２    制御部
１２    入力部
１３,２３    記憶部
１４    出力部
１５    出力装置
２０    業務システム
２１    障害者自立支援システム
４０    ネットワーク
５０    障害者自立支援給付支払等システム
１１１  ファイル読み込み部
１１２  編集部
１１３  データ格納部
１１４  画面表示部
１３１  ＣＳＶファイル編集情報記憶部
１３２  編集結果情報記憶部
１３３  項目情報
１３４  コード情報
２１１  申請部
２１２  認定部
２１３  支給決定部
２３１  業務情報テーブル
【図１】
0004887258.tif 000002
【図２】
0004887258.tif 000003
【図３】
0004887258.tif 000004
【図４】
0004887258.tif 000005
【図５】
0004887258.tif 000006
【図６】
0004887258.tif 000007
【図７】
0004887258.tif 000008
【図８】
0004887258.tif 000009
【図９】
0004887258.tif 000010
【図１０】
0004887258.tif 000011
【図１１】
0004887258.tif 000012